【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
眼に着用するコンタクトレンズにおいて、
後面および前面を備えたレンズ本体と、
レンズ本体の後面に形成された複数のマイクロチャネルとを有し、
前記レンズ本体は、前記コンタクトレンズが眼に着用されたときに、涙液の９５％を交換する時間を、複数のマイクロチャネルが設けられていない実質的に同一のコンタクトレンズと比較して少なくとも約５％短縮するように構成されていることを特徴とするコンタクトレンズ。
【請求項２】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約１５％短縮するように構成されていることを特徴とする請求項１記載のコンタクトレンズ。
【請求項３】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約２０％短縮するように構成されていることを特徴とする請求項１記載のコンタクトレンズ。
【請求項４】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約２５％短縮するように構成されていることを特徴とする請求項１記載のコンタクトレンズ。
【請求項５】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約３０％短縮するように構成されていることを特徴とする請求項１記載のコンタクトレンズ。
【請求項６】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約３５％短縮するように構成されていることを特徴とする請求項１記載のコンタクトレンズ。
【請求項７】
前記複数のマイクロチャネルの各マイクロチャネルは、周方向に波形を形成していることを特徴とする請求項１記載のコンタクトレンズ。
【請求項８】
少なくとも２つのマイクロチャネルが周方向に波形を形成していることを特徴とする請求項１記載のコンタクトレンズ。
【請求項９】
前記複数のマイクロチャネルは、実質的に連続的な波形を周方向に形成していることを特徴とする請求項１記載のコンタクトレンズ。
【請求項１０】
前記複数のマイクロチャネルの各マイクロチャネルは、実質的に無継目の波形を周方向に形成していることを特徴とする請求項１記載のコンタクトレンズ。
【請求項１１】
前記複数のマイクロチャネルは、実質的に無継目の波形を周方向に形成していることを特徴とする請求項１記載のコンタクトレンズ。
【請求項１２】
前記複数のマイクロチャネルは、実質的に連続的で、実質的に無継目の波形を周方向に形成していることを特徴とする請求項１記載のコンタクトレンズ。
【請求項１３】
前記各マイクロチャネルは、マイクロチャネルの長さの少なくとも一部に沿って実質的に無継目のマイクロチャネルからなることを特徴とする請求項１記載のコンタクトレンズ。
【請求項１４】
前記各マイクロチャネルは、マイクロチャネルの長さの大部分に沿って実質的に無継目のマイクロチャネルからなることを特徴とする請求項１記載のコンタクトレンズ。
【請求項１５】
前記レンズ本体は、複数のマイクロチャネルが実質的に存在しない光学的ゾーンを有していることを特徴とする請求項１記載のコンタクトレンズ。
【請求項１６】
前記複数のマイクロチャネルの各々が、約５〜３０°の範囲内の幅を有していることを特徴とする請求項１記載のコンタクトレンズ。
【請求項１７】
前記複数のマイクロチャネルが、約３〜２００個のマイクロチャネルを有していることを特徴とする請求項１記載のコンタクトレンズ。
【請求項１８】
前記複数のマイクロチャネルが、約１０〜１００個のマイクロチャネルを有していることを特徴とする請求項１記載のコンタクトレンズ。
【請求項１９】
前記レンズ本体は、前記コンタクトレンズがアジア人の眼に着用されたときに、レンズ後面の涙膜の涙混合を、非アジア人の眼に着用される、同一に構成されたコンタクトレンズにより得られるレンズ後面の涙膜の涙混合と比較して、促進するように構成されていることを特徴とする請求項１記載のコンタクトレンズ。
【請求項２０】
眼に着用するコンタクトレンズにおいて、
後面および前面を備えたレンズ本体と、
レンズ本体の後面に形成された複数のマイクロチャネルとを有し、各マイクロチャネルは、前面に対して凹状以外の全体的な湾曲面を有し、マイクロチャネルは、眼の露出表面とレンズ本体により覆われる眼の表面との間の有効な涙液交換を促進するサイズを有しかつ適合していることを特徴とするコンタクトレンズ。
【請求項２１】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約５％短縮するように構成されていることを特徴とする請求項２０記載のコンタクトレンズ。
【請求項２２】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約１５％短縮するように構成されていることを特徴とする請求項２０記載のコンタクトレンズ。
【請求項２３】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約３５％短縮するように構成されていることを特徴とする請求項２０記載のコンタクトレンズ。
【請求項２４】
前記各マイクロチャネルの湾曲面は、前面に対して全体的に凸状であることを特徴とする請求項２０記載のコンタクトレンズ。
【請求項２５】
前記各マイクロチャネルの湾曲面は、周方向に実質的に連続的に湾曲していることを特徴とする請求項２０記載のコンタクトレンズ。
【請求項２６】
前記レンズ本体は、該レンズ本体の光軸から、各マイクロチャネルの少なくとも一部を周方向に横切って延びる半径に沿って、実質的に連続的に変化している厚さを有することを特徴とする請求項２０記載のコンタクトレンズ。
【請求項２７】
前記レンズ本体は、該レンズ本体の光軸から、各マイクロチャネルの大部分を周方向に横切って延びている半径に沿って、実質的に連続的に変化している厚さを有することを特徴とする請求項２０記載のコンタクトレンズ。
【請求項２８】
前記各マイクロチャネルの湾曲面は、マイクロチャネルの後面領域に設けられていることを特徴とする請求項２０記載のコンタクトレンズ。
【請求項２９】
前記各マイクロチャネルは、マイクロチャネルの長さの一部に沿って実質的に無継目であることを特徴とする請求項２０記載のコンタクトレンズ。
【請求項３０】
前記各マイクロチャネルは、マイクロチャネルの長さの大部分に沿って実質的に無継目であることを特徴とする請求項２０記載のコンタクトレンズ。
【請求項３１】
複数のマイクロチャネルが実質的に存在しない光学的ゾーンを有していることを特徴とする請求項２０記載のコンタクトレンズ。
【請求項３２】
前記複数のマイクロチャネルの各々が、約５〜３０°の範囲内の幅を有していることを特徴とする請求項２０記載のコンタクトレンズ。
【請求項３３】
前記複数のマイクロチャネルが、約３〜２００個のマイクロチャネルを有していることを特徴とする請求項２０記載のコンタクトレンズ。
【請求項３４】
前記複数のマイクロチャネルが、約１０〜１００個のマイクロチャネルを有していることを特徴とする請求項２０記載のコンタクトレンズ。
【請求項３５】
前記レンズ本体は、前記コンタクトレンズがアジア人の眼に着用されたときに、レンズ後面の涙膜の涙混合を、非アジア人の眼に着用される、同一に構成されたコンタクトレンズにより得られるレンズ後面の涙膜の涙混合と比較して、促進するように構成されていることを特徴とする請求項２０記載のコンタクトレンズ。
【請求項３６】
眼に着用するコンタクトレンズにおいて、
後面および前面を備えたレンズ本体と、
レンズ本体の後面に形成された複数のマイクロチャネルとを有し、各マイクロチャネルは、１つ以上のマイクロチャネルに対して実質的に当接関係をなして配置され、マイクロチャネルは、眼の露出表面とレンズ本体により覆われる眼の表面との間の有効な涙液交換を促進するサイズを有しかつ適合していることを特徴とするコンタクトレンズ。
【請求項３７】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約５％短縮するように構成されていることを特徴とする請求項３６記載のコンタクトレンズ。
【請求項３８】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約１５％短縮するように構成されていることを特徴とする請求項３６記載のコンタクトレンズ。
【請求項３９】
前記レンズ本体は、前記コンタクトレンズが眼に着用されたときに、涙液の９５％を交換する時間を、複数のマイクロチャネルが設けられていない実質的に同一のコンタクトレンズと比較して少なくとも約３５％短縮するように構成されていることを特徴とする請求項３６記載のコンタクトレンズ。
【請求項４０】
前記レンズ本体は、該レンズ本体の光軸から、各マイクロチャネルの大部分を横切って延びている半径に沿って、実質的に連続的に変化している厚さを有することを特徴とする請求項３６記載のコンタクトレンズ。
【請求項４１】
前記各マイクロチャネルは、マイクロチャネルの長さの大部分に沿って実質的に無継目であるマイクロチャネルからなることを特徴とする請求項３６記載のコンタクトレンズ。
【請求項４２】
複数のマイクロチャネルが実質的に存在しない光学的ゾーンを有していることを特徴とする請求項３６記載のコンタクトレンズ。
【請求項４３】
前記複数のマイクロチャネルの各々が、約５〜３０°の範囲内の幅を有していることを特徴とする請求項３６記載のコンタクトレンズ。
【請求項４４】
前記複数のマイクロチャネルが、約３〜２００個のマイクロチャネルを有していることを特徴とする請求項３６記載のコンタクトレンズ。
【請求項４５】
前記複数のマイクロチャネルが、約１０〜１００個のマイクロチャネルを有していることを特徴とする請求項３６記載のコンタクトレンズ。
【請求項４６】
前記レンズ本体は、前記コンタクトレンズがアジア人の眼に着用されたときに、レンズ後面の涙膜の涙混合を、非アジア人の眼に着用される、同一に構成されたコンタクトレンズにより得られるレンズ後面の涙膜の涙混合と比較して、促進するように構成されていることを特徴とする請求項３６記載のコンタクトレンズ。
【請求項４７】
眼に着用するコンタクトレンズにおいて、
レンズ本体を有し、該レンズ本体は、人の眼に着用されたときに、所望のグループの人のレンズ後面の涙膜の涙混合を、異なるグループの他の人の眼に着用される、実質的に同一のコンタクトレンズと比較して、高い涙混合を与えるように構成されていることを特徴とするコンタクトレンズ。
【請求項４８】
前記レンズ本体は後面および前面を備えかつ後面に形成された複数のマイクロチャネルを有していることを特徴とする請求項４７記載のコンタクトレンズ。
【請求項４９】
前記レンズ本体は、１グループの人に特有の眼特性または瞼特性をもつ人のレンズ後面の涙膜の涙混合を促進するように構成されていることを特徴とする請求項４７記載のコンタクトレンズ。
【請求項５０】
前記レンズ本体は、高い瞼張力をもつグループの人のレンズ後面の涙膜の涙混合を、異なるグループの人と比較して、促進するように構成されていることを特徴とする請求項４７記載のコンタクトレンズ。
【請求項５１】
前記レンズ本体は、コンタクトレンズがアジア人の眼に着用されたときに、涙混合を、非アジア人の眼に着用される、同一に構成されたコンタクトレンズにより得られる涙混合と比較して、促進するように構成されていることを特徴とする請求項４７記載のコンタクトレンズ。
【請求項５２】
前記レンズ本体は、コンタクトレンズが非アジア人の眼に着用されたときに、涙混合を、アジア人の眼に着用される、同一に構成されたコンタクトレンズにより得られる涙混合と比較して、促進するように構成されていることを特徴とする請求項４７記載のコンタクトレンズ。
【請求項５３】
前記レンズ本体は、シリコーンヒドロゲルを包含することを特徴とする請求項１ないし５２のうちの一項に記載のコンタクトレンズ。
【請求項５４】
後面および前面を備え、後面および前面の間の最大の距離である厚さを有し、レンズ本体の前面に形成された半径方向へ延び、厚さの９０％より小さい深さに成形された複数のマイクロチャネルを有するシリコーンヒドロゲルレンズ本体からなることを特徴とするシリコーンヒドロゲルコンタクトレンズ。
【請求項５５】
前記レンズ本体が、約３〜２００個のマイクロチャネルを有していることを特徴とする請求項５４記載のシリコーンヒドロゲルコンタクトレンズ。
【請求項５６】
前記レンズ本体が、約１０〜１００個のマイクロチャネルを有していることを特徴とする請求項５４記載のシリコーンヒドロゲルコンタクトレンズ。
【請求項５７】
前記各マイクロチャネルが、レンズ本体の光軸の方向に増加する先細り形であることを特徴とする請求項５４記載のシリコーンヒドロゲルコンタクトレンズ。
【請求項５８】
前記各マイクロチャネルが、レンズ本体の縁端付近で最大幅を有することを特徴とする請求項５４記載のシリコーンヒドロゲルコンタクトレンズ。
【請求項５９】
前記マイクロチャネルの深さが、レンズ本体の厚さの８０％より小さいことを特徴とする請求項５４記載のシリコーンヒドロゲルコンタクトレンズ。
【請求項６０】
前記マイクロチャネルの深さが、０．１ミクロンから５０ミクロンであることを特徴とする請求項５４記載のシリコーンヒドロゲルコンタクトレンズ。